【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
電話機が収容された複数のＯＮＴ(Optical Network Terminal)と、ゲートウェイ機能を
備え電話交換網と接続されるＯＬＴ(Optical Line Terminal)とを含むＰａｓｓｉｖｅ  
Ｏｐｔｉｃａｌ  Ｎｅｔｗｏｒｋ（ＰＯＮ）システムであって、
前記ＯＬＴは、
前記ＯＮＴに接続される前記電話機の電話番号情報を記憶する記憶部を備え、
前記ＯＮＴに接続される発呼元電話機から前記電話交換網内の電話交換機に対して音声データで送られる発呼先電話機の電話番号情報を捕捉し、
前記電話交換網内で障害発生が検出された場合に、前記発呼先電話機の電話番号情報を用いて、前記電話交換網を介することなく前記発呼元電話機と前記発呼先電話機間の通話を継続することを特徴とするＰＯＮシステム。
【請求項２】
前記発呼先電話機が前記電話番号情報に記憶されている場合に、前記発呼先電話機の前記電話番号情報と前記発呼元電話機の前記電話番号情報とを対応づけて記憶することを特徴とするＰＯＮシステム。
【請求項３】
前記発呼先電話機が前記電話番号情報に記憶されている場合に、前記発呼元電話機と前記電話交換機間の通話チャネル情報を記録することを特徴とする請求項１に記載のＰＯＮシステム。
【請求項４】
前記発呼先電話機が前記電話番号情報に記憶されている場合に、前記発呼先電話機の前記電話番号情報と前記発呼元電話機の前記電話番号情報及び前記発呼元電話機と前記電話交換機間の通話チャネル情報とを対応づけて記憶し、
前記発呼先電話機に対する前記電話交換機からの着信を捕捉し、前記電話交換機と前記発呼先電話機間の通話チャネル情報をと前記発呼元電話機と前記電話交換機間の通話チャネル情報とを対応づけて記録し、
前記電話交換網内で障害発生が検出された場合に、前記二つの通話チャネル情報を用いて前記発呼元電話機と前記発呼先電話機間の通話チャネルを接続し、前記電話交換網を介することなく前記発呼元電話機と前記発呼先電話機間の通話を継続することを特徴とする請求項１に記載のＰＯＮシステム。
【請求項５】
前記ＯＮＴ及び前記ゲートウェイ機能は、
電話サービス用シグナリングプロトコルとして、前記ＯＮＴから前記ゲートウェイ機能を介して前記電話交換網に接続するための処理プログラムを記憶した記憶部と、前記ＯＮＴから前記電話交換網を介さずに前記ゲートウェイに接続された他のＯＮＴとの電話サービスを実施するための処理プログラムを記憶した記憶部と、を備え、
前記電話交換網内で障害が発生した場合に、前記ゲートウェイ機能からの制御メッセージに基づいて、使用する前記処理プログラムを、前記ＯＮＴから前記ゲートウェイ機能を介して前記電話交換網に接続するための処理プログラムから、前記ＯＮＴから前記電話交換網を介さずに前記ＯＮＴ間の電話サービスを実施するための処理プログラムに変更することを特徴とする請求項１ないし４に記載のＰＯＮシステム。
【請求項６】
前記電話交換網の障害が検出された場合に、
前記ゲートウェイ機能は、前記電話機を収容するＯＮＴに対して使用する処理プログラムを変更することを指示する制御メッセージをマルチキャスト送信することを特徴とする請求項５に記載のＰＯＮシステム。
【請求項７】
前記ＯＬＴは、
前記電話機を収容するＯＮＴのアドレスと当該ゲートウェイ装置と該ＯＮＴ間の論理パ
スとの対応情報を持ち、
該ＯＮＴからのパケットを受信すると前記論理パスの対応情報を用いて前記受信パケッ
トの宛先アドレスに対応する論理パスを検出し、該論理パスを用いて前記受信パケットを送信することを特徴とする請求項１ないし４に記載のＰＯＮシステム。
【請求項８】
前記電話機を収容するＯＮＴのＩＰアドレスとＭＡＣアドレスとの対応情報と、
前記ＯＮＴのＭＡＣアドレスと、当該ＯＬＴと前記ＯＮＴ間の論理パスとの対応情報持ち、
前記他のＯＮＴから前記ＯＮＴのＩＰアドレスをＭＡＣアドレスに変換する要求を受信すると、前記ＩＰアドレスとＭＡＣアドレスとの対応情報を用いて該ＯＮＴのＭＡＣアドレスを検出し、該要求を送信した前記他のＯＮＴに該ＭＡＣアドレスを通知し、
前記他のＯＮＴから前記ＯＮＴのＭＡＣアドレスを宛先アドレスとしたパケットを受信すると、前記ＯＮＴのＭＡＣアドレスと前記ＯＬＴと前記ＯＮＴ間の論理パスとの対応情報を用いて前記ＯＮＴに前記パケットを転送することを特徴とする請求項１ないし４に記載のＰＯＮシステム。
【請求項９】
さらに、呼接続を行うためのトーンを生成するトーン生成機能を備え、
前記発呼先電話機または前記発呼元電話機のいずれかが切電された場合に、該トーン生成機能において生成されたビジートーンを他方の前記発呼先電話機または前記発呼元電話機に送信することを特徴とする請求項１ないし４に記載のＰＯＮシステム。
【請求項１０】
電話交換網と、電話機が収容されたＯＮＴ（Optical Network Terminal）と接続された複数のデータ網とに接続されたゲートウェイ装置であって、
前記データ網に接続される前記電話機の電話番号情報を記憶する記憶部を備え、
前記データ網に接続される発呼元電話機から前記電話交換網内の電話交換機に対して音声データで送られる発呼先電話機の電話番号情報を捕捉し、
前記発呼先電話機が前記データ網に接続されている場合に、前記発呼元電話機と前記電話交機間の通話チャネル情報を記録し、さらに、前記発呼先電話機に対する前記電話交換機からの着信を捕捉し、前記電話交換機と前記発呼先電話機間の通話チャネル情報を記録し、
前記電話交換網内で障害発生が検出された場合に、前記二つの通話チャネル情報を用いて前記発呼元電話機と前記発呼先電話機間の通話チャネルを接続し、前記電話交換網を介することなく前記発呼元電話機と前記発呼先電話機間の通話を継続することを特徴とするゲートウェイ装置。
【請求項１１】
前記データ網側の電話サービス用シグナリングプロトコルとして前記データ網と前記
電話交換網を接続するための処理プログラムを記憶した記憶部と、前記データ網内で電話
サービスを実施するための処理プログラムを記憶した記憶部と、を備え、
前記電話交換網で障害が検出された場合に、使用する処理プログラムを、前記データ網と
前記電話交換網を接続するための処理プログラムから前記データ網内で電話サービスを実
施するための処理プログラムに変更することを特徴とする請求項１０に記載のゲートウェイ
装置。
【請求項１２】
前記電話交換網の障害が検出された場合に、前記電話機を収容するＯＮＴに対して使用
する処理プログラムを変更することを指示する制御メッセージをマルチキャスト送信する
ことを特徴とする請求項１１に記載のゲートウェイ装置。
【請求項１３】
前記電話機を収容するＯＮＴのアドレスと当該ゲートウェイ装置と該ＯＮＴ間の論理パ
スとの対応情報を持ち、
該ＯＮＴからのパケットを受信すると前記論理パスの対応情報を用いて前記受信パケッ
トの宛先アドレスに対応する論理パスを検出し、該論理パスを用いて前記受信パケットを
送信することを特徴とする請求項１０に記載のゲートウェイ装置。
【請求項１４】
前記電話機を収容するＯＮＴのＩＰアドレスとＭＡＣアドレスとの対応情報と、
前記ＯＮＴのＭＡＣアドレスと当該ゲートウェイ装置と前記ＯＮＴ間の論理パスとの対
応情報持ち、
前記他のＯＮＴから前記ＯＮＴのＩＰアドレスをＭＡＣアドレスに変換する要求を受信すると、前記ＩＰアドレスとＭＡＣアドレスとの対応情報を用いて該ＯＮＴのＭＡＣアドレスを検出し、該要求を送信した前記他のＯＮＴに該ＭＡＣアドレスを通知し、
前記他のＯＮＴから前記ＯＮＴのＭＡＣアドレスを宛先アドレスとしたパケットを受信
すると、前記ＯＮＴのＭＡＣアドレスと前記ゲートウェイ装置と前記ＯＮＴ間の論理パス
との対応情報を用いて前記ＯＮＴに前記パケットを転送することを特徴とする請求項１０に
記載のゲートウェイ装置。
【請求項１５】
さらに、呼接続を行うためのトーンを生成するトーン生成機能を備え、
前記発呼先電話機または前記発呼元電話機のいずれかが切電された場合に、該トーン生成
機能において生成されたビジートーンを他方の前記発呼先電話機または前記発呼元電話機
に送信することを特徴とする請求項１０に記載のゲートウェイ装置。
【請求項１６】
電話機が収容された複数のＯＮＴ(Optical Network Terminal)と、ゲートウェイ機能を
備え電話交換網と接続されるＯＬＴ(Optical Line Terminal)とがＰａｓｓｉｖｅ  
Ｏｐｔｉｃａｌ  Ｎｅｔｗｏｒｋ（ＰＯＮ）を介して通信する通信方法であって、
前記ＯＮＴに接続される前記電話機の電話番号情報を記憶する記憶部を備え
前記ＯＮＴに接続される発呼元電話機から前記電話交換網内の電話交換機に対して音声データで送られる発呼先電話機の電話番号情報を捕捉し、
前記発呼先電話機が前記電話番号情報に記憶されている場合に、前記発呼元電話機と前記電話交機間の通話チャネル情報を記録し、さらに、前記発呼先電話機に対する前記電話交換機からの着信を捕捉し、前記電話交換機と前記発呼先電話機間の通話チャネル情報を記録し、
前記電話交換網内で障害発生が検出された場合に、前記二つの通話チャネル情報を用いて前記発呼元電話機と前記発呼先電話機間の通話チャネルを接続し、前記電話交換網を介することなく前記発呼元電話機と前記発呼先電話機間の通話を継続することを特徴とする通信方法。
【請求項１７】
前記ＯＮＴ及び前記ゲートウェイ機能は、
電話サービス用シグナリングプロトコルとして、前記ＯＮＴから前記ゲートウェイ機能を介して前記電話交換網に接続するための処理プログラムを記憶した記憶部と、前記ＯＮＴから前記電話交換網を介さずに前記ゲートウェイに接続された他のＯＮＴとの電話サービスを実施するための処理プログラムを記憶した記憶部と、を備え、
前記電話交換網内で障害が発生した場合に、前記ゲートウェイ機能からの制御メッセージに基づいて、使用する前記処理プログラムを、前記ＯＮＴから前記ゲートウェイ機能を介して前記電話交換網に接続するための処理プログラムから、前記ＯＮＴから前記電話交換網を介さずに前記ＯＮＴ間の電話サービスを実施するための処理プログラムに変更することを特徴とする請求項１６に記載の通信方法。
【請求項１８】
前記電話交換網の障害が検出された場合に、
前記ゲートウェイ機能は、前記電話機を収容するＯＮＴに対して使用する処理プログラムを変更することを指示する制御メッセージをマルチキャスト送信することを特徴とする請求項１７に記載の通信方法。
【請求項１９】
前記ＯＬＴは、
前記電話機を収容するＯＮＴのアドレスと当該ゲートウェイ装置と該ＯＮＴ間の論理パ
スとの対応情報を持ち、
該ＯＮＴからのパケットを受信すると前記論理パスの対応情報を用いて前記受信パケッ
トの宛先アドレスに対応する論理パスを検出し、該論理パスを用いて前記受信パケットを送信することを特徴とする請求項１６に記載の通信方法。
【請求項２０】
前記電話機を収容するＯＮＴのＩＰアドレスとＭＡＣアドレスとの対応情報と、
前記ＯＮＴのＭＡＣアドレスと、当該ＯＬＴと前記ＯＮＴ間の論理パスとの対応情報持ち、
前記他のＯＮＴから前記ＯＮＴのＩＰアドレスをＭＡＣアドレスに変換する要求を受信すると、前記ＩＰアドレスとＭＡＣアドレスとの対応情報を用いて該ＯＮＴのＭＡＣアドレスを検出し、該要求を送信した前記他のＯＮＴに該ＭＡＣアドレスを通知し、
前記他のＯＮＴから前記ＯＮＴのＭＡＣアドレスを宛先アドレスとしたパケットを受信すると、前記ＯＮＴのＭＡＣアドレスと前記ＯＬＴと前記ＯＮＴ間の論理パスとの対応情報を用いて前記ＯＮＴに前記パケットを転送することを特徴とする請求項１６に記載の通信方法。
【請求項２１】
さらに、呼接続を行うためのトーンを生成するトーン生成機能を備え、
前記発呼先電話機または前記発呼元電話機のいずれかが切電された場合に、該トーン生成機能において生成されたビジートーンを他方の前記発呼先電話機または前記発呼元電話機に送信することを特徴とする請求項１６に記載の通信方法。